(57)【要約】      （修正有）【課題】取り扱いの向上および組み立ての単純化を可能にする照明モジュールアセンブリを提供する。【解決手段】照明モジュールアセンブリ１５は、コネクタ１９および位置決め窓２７を含み、ベース面に固定することができる第１のハウジング部品１７と、第１のハウジング部品１７のコネクタ１９と結合を形成するように構成された対応するコネクタを含み、光出口開口を境界付ける内壁部４５、外壁部４６、および内壁部４５と外壁部４６とを連結する連結壁部４７を有する第２のハウジング部品１８と、プリント回路基板６３のコンポーネント面６２に配置された少なくとも１つのコンポーネント６１を含む動作回路６０と、を含む。プリント回路基板６３は、第２のハウジング部品１８に固定され、コンポーネント面６２とは反対側のプリント回路基板底面６４で連結壁部４７に面するように内壁部４５と外壁部４６との間に配置される。【選択図】図３
2019133924.tif 000002
【特許請求の範囲】
【請求項１】
コネクタを含み、締結コンポーネントによってベース面に固定することができる第１のハウジング部品であって、照明モジュールが挿入される位置決め窓を含む第１のハウジング部品と、
前記第１のハウジング部品の前記コネクタと結合を形成するように構成された対応するコネクタを含む第２のハウジング部品であって、光出口開口を境界付ける内壁部、前記内壁部を周方向で囲む外壁部、および前記内壁部と前記外壁部とを連結する連結壁部を含む第２のハウジング部品と、
プリント回路基板のコンポーネント面に配置された少なくとも１つのコンポーネントを含み、かつ照明モジュールを動作させるように構成された動作回路と、を含み、
前記プリント回路基板が前記第２のハウジング部品に固定され、コンポーネント面とは反対側のプリント回路基板底面で連結壁部に面するように前記内壁部と前記外壁部との間に配置される、
照明モジュールアセンブリ。
【請求項２】
前記プリント回路基板がシール剤によって前記第２のハウジング部品に固定される、
請求項１に記載の照明モジュールアセンブリ。
【請求項３】
前記プリント回路基板底面が前記連結壁部に接する、
請求項１または２に記載の照明モジュールアセンブリ。
【請求項４】
前記プリント回路基板底面が前記連結壁部に２次元的に接するか、または接合される、
請求項３に記載の照明モジュールアセンブリ。
【請求項５】
前記プリント回路基板底面が接着接合によって前記連結壁部と接合される、
請求項４に記載の照明モジュールアセンブリ。
【請求項６】
前記プリント回路基板および前記動作回路の前記少なくとも１つのコンポーネントが、前記内壁部と、前記外壁部と、前記連結壁部と、によって境界付けられた設置スペース内に完全に配置される、
請求項１から５のいずれか一項に記載の照明モジュールアセンブリ。
【請求項７】
少なくとも１つの導電性プリント回路基板接点面が前記プリント回路基板の前記コンポーネント面に存在し、
導電性である１つの接点要素が前記プリント回路基板接点面のそれぞれと電気的に接続される、
請求項１から６のいずれか一項に記載の照明モジュールアセンブリ。
【請求項８】
前記接点要素が前記動作回路と前記照明モジュールとの間で電気的接続を形成するように構成される、
請求項７に記載の照明モジュールアセンブリ。
【請求項９】
前記接点要素が、関連する前記プリント回路基板接点面と電気的に接続された第１の接点部と、前記第１の接点部から延在する接点ばねと、前記第１の接点部とは反対側の前記接点ばね端部にある第２の接点部と、を含む、
請求項７または８に記載の照明モジュールアセンブリ。
【請求項１０】
前記接点ばねが、前記位置決め窓に向かう方向および前記位置決め窓から離れる方向で弾性的に可動であり、前記第１のハウジング部品と前記第２のハウジング部品とが結合している場合、および前記照明モジュールが前記位置決め窓に挿入されている場合に、前記照明モジュールの関連する導電性モジュール接点面に対して前記第２の接点部で接するように構成される、
請求項９に記載の照明モジュールアセンブリ。
【請求項１１】
前記第２のハウジング部品が少なくとも１つの接続ソケットを含み、各ソケットの後ろに、前記外壁部と前記内壁部との間で、かつ前記接続ソケットに隣接して、１つの導電性接続要素を保持するように構成された１つの保持領域が続く、
請求項１から１０のいずれか一項に記載の照明モジュールアセンブリ。
【請求項１２】
少なくとも１つの保持領域が前記少なくとも１つの保持領域内に配置された導電性接続要素を有する、
請求項１１に記載の照明モジュールアセンブリ。
【請求項１３】
すべての接続要素が、関連する接続ソケットの挿入方向で、前記少なくとも１つの接続ソケットのうちの前記関連する接続ソケットの内側開口の後ろに配置されたクランプアセンブリを有する、
請求項１１に記載の照明モジュールアセンブリ。
【請求項１４】
すべての接続要素が前記プリント回路基板の１つの関連する導電性プリント回路基板接点面に接する接点部分を含む、
請求項１１から１３のいずれか一項に記載の照明モジュールアセンブリ。
【請求項１５】
すべての接続要素が前記第２のハウジング部品に圧力嵌合および／または形状嵌合式で保持される、
請求項１１から１４のいずれか一項に記載の照明モジュールアセンブリ。
【発明の詳細な説明】
【技術分野】
【０００１】
［関連出願の相互参照］
本出願は、２０１８年１月２９日に出願されたドイツ特許出願第１０２０１８１０１８７１．１号の優先権の利益を主張し、その全内容は参照により本明細書に組み込まれる。
【０００２】
本開示は、例えば半導体照明モジュールなどの、１つまたは複数の半導体ランプを有することができるランプアセンブリを含んだ照明モジュールを含む照明モジュールアセンブリに関する。照明モジュールアセンブリは、設置面またはベース面に取り付けられるように構成されたハウジングを含む。
【背景技術】
【０００３】
欧州特許第２６３３２３２号明細書は、ハウジングと、リング状のプリント回路基板上に配置された動作回路と、キャリアプレートおよびキャリアプレート中央に配置された発光ダイオードからなる照明モジュールとを有する照明モジュールアセンブリを記載する。キャリアプレートは、動作回路を支持するプリント回路基板と少なくとも同じ大きさである。プリント回路基板は、その中に配置された中央開口を有し、したがって、プリント回路基板はリング状であり、照明モジュールの発光ダイオードを囲む。プリント回路基板は、エアギャップなしでキャリアプレートに直接配置される。キャリアプレートとプリント回路基板とは積み重ねられて配置され、キャリアプレートは同時にプリント回路基板から熱を放散するためのヒートシンクとして機能する。
【先行技術文献】
【特許文献】
【０００４】
【特許文献１】欧州特許第２６３３２３２号明細書
【発明の概要】
【０００５】
本開示の目的は、取り扱いの向上および／または組み立ての単純化を可能にする照明モジュールアセンブリを作り出すことと考えることができる。
【０００６】
これは、請求項１の特徴を有する照明モジュールアセンブリによって達成される。
【０００７】
本発明の照明モジュールアセンブリは、第１のハウジング部品と第２のハウジング部品とを含むハウジングを含む。第１のハウジング部品は、第２のハウジング部品の対応するコネクタと相互作用して２つのハウジング部品間に結合を形成することができるコネクタを含む。結合は取り外し可能な係止結合の形態とすることができる。結合または係止結合は、特に工具なしで形成され、および／または解除される。
【０００８】
第１のハウジング部品は照明モジュール用の位置決め窓を有する。位置決め窓は、第１のハウジング部品を貫通する。第１のハウジング部品は、締結コンポーネントを使用してベース面に固定されるように構成される。締結コンポーネントは、例えば、ねじ結合を形成するねじを含むことができる。位置決め窓に挿入された照明モジュールは、裏面でベース面に接し、この裏面は発光面とは反対側を向いている。例えば、照明モジュールは第１のハウジング部品と確実に結合されてはいない。照明モジュールの熱は、ハウジングを介さずに直接ベース面に放出することができる。
【０００９】
第２のハウジング部品は、内壁部と、内壁部を周方向で囲む外壁部と、内壁部および外壁部を連結する連結壁部とを有する。内壁部は光出口開口を境界付ける。
【００１０】
照明モジュールアセンブリはまた、照明モジュールを動作させるための動作回路を含み、この動作回路は少なくとも１つのコンポーネントを有する。典型的な一実施形態では、動作回路は、照明モジュールに出力される出力電流の制限および／または開ループ制御および／または閉ループ制御のために構成される。動作回路は他のまたは追加の制御タスクまたは機能を有することもできる。例えば、動作回路は検出回路を有して検出領域内の人の存在を検出し、照明モジュールをオンまたはオフにすることができる。
【００１１】
動作回路は１つまたは複数のコンポーネントを有する。コンポーネントはプリント回路基板上に配置される。例えば、すべてのコンポーネントがプリント回路基板のコンポーネント面に配置されていてもよい。コンポーネント面とは反対側のプリント回路基板の底面には、コンポーネントがなくてもよい。プリント回路基板は、例えば摩擦によって、および／または形状嵌合式で、および／または接着接合によって、第２のハウジング部品に固定される。プリント回路基板は、内壁部と外壁部との間でプリント回路基板底面が連結壁部に面するように配置される。
【００１２】
この設計は、照明モジュールアセンブリが組み立て中に扱うことが必要ないくつかのユニットを有することを意味する。動作回路を有するプリント回路基板は、第２のハウジング部品に固定されて、第２のハウジング部品と共通ユニットを形成する。動作回路を有するプリント回路基板は、第２のハウジング部品に射出成形されて、第２のハウジング部品と共通ユニットを形成することができる。第１のハウジング部品がベース面に固定され、照明モジュールが位置決め窓に挿入された後は、ランプアセンブリの機械的組み立てを完成させるために、２つのハウジング部品間の結合、例えば係止結合を形成するだけでよい。
【００１３】
結合または係止結合を取り外し可能に形成することも可能であり、例えば照明モジュールを別の照明モジュールと交換しなければならない場合に、照明モジュールへの容易なアクセスをこのように確保する。第２のハウジング部品が（動作回路と共に）第１のハウジング部品から取り外されても、第１のハウジング部品はベース面に固定されたままである。これにより、照明モジュールアセンブリの現場での取り扱いが単純化される。
【００１４】
例えば、プリント回路基板底面は、連結壁部に接してもよいし、または連結壁部と接合されてもよい。特に、プリント回路基板底面は、広い面積にわたって連結壁部と接するか、あるいは間接接触または直接接触を形成することができる。例えば、プリント回路基板底面を接着促進剤による接合によって連結壁部と接合することができる。これにより、プリント回路基板底面と連結壁部との間に接着剤接合を形成することができる。
【００１５】
プリント回路基板および動作回路の少なくとも１つのコンポーネントが完全に設置スペース内に配置されると有利である。設置スペースは、第２のハウジング部品の内壁部と外壁部と連結壁部とによって画定される。プリント回路基板および少なくとも１つのコンポーネントは、完全にこの設置スペース内に配置されており、境界面を通過して突出しない。典型的な一実施形態では、境界面は連結壁部と平行に方向づけられ、外壁部および／または内壁部の下縁に接触し、この下縁は連結壁部とは反対側にある。設置スペースはリング状で、周方向で閉じられていてもよいし、または互いに直接境界を接していない複数の個別の設置スペース部を有していてもよい。そのような設置スペース部は、それらの間に少なくとも１つの保持領域を有し、導電性接続要素を保持することができる。
【００１６】
第１のハウジング部品および／または第２のハウジング部品はそれぞれ、同一の材料から、特に合成材料または別の非導電性材料から、継ぎ目または接合部のない一体部品として作られてもよい。
【００１７】
典型的な一実施形態では、第２のハウジング部品は少なくとも１つの電気的接続ソケットを有する。すべての電気的接続ソケットに隣接して、内壁部と外壁部との間に配置された保持領域がある。すべての保持領域は、摩擦によって、および／または形状嵌合式で、例えば取り外し可能な方法で、そこに配置することができる１つの接続要素を保持するように構成される。接続要素は、接続ソケットに挿入された導体と動作回路との間に電気的接続を形成するように構成される。
【００１８】
例えば、少なくとも１つまたは２つの保持領域は、その中に配置された接続要素をそれぞれ有してもよい。第２のハウジング部品は、例えば２つ、３つ、４つ、またはそれ以上の接続領域を有し、これらのそれぞれが関連する接続ソケットを備える。
【００１９】
典型的な一実施形態では、すべての接続要素は、導体への機械的および電気的接続を形成するために、関連する接続ソケットの挿入方向で各接続ソケットの挿入口の後ろに位置を合わせて配置され、かつ接続ソケットから差し込まれた導体をクランプすることができる電気クランプアセンブリを有する。
【００２０】
さらに、プリント回路基板のコンポーネント面がその上に導電性プリント回路基板接点面を有すると有利である。プリント回路基板接点面は、プリント回路基板上またはプリント回路基板内の導体または導体線路を介して動作回路と電気的に接続される。プリント回路基板接点面の少なくとも１つは、動作回路の入力接続の役割を果たす。プリント回路基板接点面の少なくとも１つは動作回路の出力接続の役割を果たし、これらの少なくとも１つの出力接続のそれぞれは導電性接点要素を介して照明モジュールと電気的に接続可能である。
【００２１】
例えば、すべての接続要素が接点部分を有してもよい。接点部分は、プリント回路基板の関連する導電性プリント回路基板接点面に接しており、この接点面は動作回路用の入力接続を形成している。したがって、接続要素は、プリント回路基板のプリント回路基板接点面と接続ソケットに挿入された導体との間で形成される電気的接続を可能にする。
【００２２】
例えば、すべての接続要素は、第２のハウジング部品上、例えば内壁部上および／または外壁部上の各保持領域で摩擦によって、および／または形状嵌合式で保持されてもよいし、またはそれらの間に固定されてもよい。
【００２３】
典型的な一実施形態では、接点要素は、関連するプリント回路基板接点面と電気的に接続された第１の接点部を有する。任意選択で、例えば第１の接点部と関連するプリント回路基板接点面との間にはんだ付け接合を形成することによって、電気的接続に加えて、プリント回路基板接点面と第１の接点部との間に機械的接続を形成することも可能である。接点要素は、第１の接点部から離れて延在し、第１の接点部とは反対側の端部に接点要素の第２の接点部を有する接点ばねを有することができる。照明モジュールが位置決め窓に挿入されたときに２つのハウジング部品間で結合が形成される場合、第２の接点部は、照明モジュールのモジュール接点面に接するように構成される。例えば、接点ばねは、位置決め窓に向かう方向または位置決め窓から離れる方向に弾性的に移動可能であってもよい。組み立てられた状態では、これにより、第２の接点部と照明モジュールの関連するモジュール接点面との間に接触圧力を発生させることができる。
【図面の簡単な説明】
【００２４】
図面は、本教示による１つまたは複数の実装形態を例示のみを目的に示すものであり、限定するものではない。図面では、同様の参照番号は同一または類似の要素を指す。
【図１】照明モジュールの発光面を示す、照明モジュールアセンブリの典型的な一実施形態の斜視図である。
【図２】照明モジュールアセンブリの取り付け面を示す、図１の照明モジュールアセンブリの別の斜視図である。
【図３】図１および図２の照明モジュールアセンブリの概略分解図である。
【図４】設置スペースを示す、図１〜図３による照明モジュールアセンブリの第２のハウジング部品の斜視図である。
【図５】照明モジュールアセンブリの導電性接続要素兼接点要素の典型的な一実施形態の斜視図である。
【図６】照明モジュールアセンブリの導電性接続要素の典型的な一実施形態の斜視図である。
【図７】導体との電気的接続が形成されたときの図６の接続要素の矢印ＶＩＩに沿った上面図である。
【図８】接続要素の典型的な一実施形態の変形例の斜視図である。
【図９】照明モジュールアセンブリの導電性接点要素の典型的な一実施形態の斜視図である。
【図１０】図９の接点要素の矢印Ｘに沿った上面図である。
【図１１】図１から図４による照明モジュールアセンブリの断面図である。
【図１２】プリント回路基板を有する動作回路の典型的な一実施形態、ならびにその上に配置された、図５による接続要素兼接点要素と、図８による接続要素と、図９および図１０による接点要素との図である。
【図１３】プリント回路基板を有する動作回路の典型的な一実施形態、ならびにその上に配置された、図８による接続要素と、図９および図１０による接点要素との図である。
【図１４】照明モジュールを有する照明モジュールアセンブリの動作回路の接点要素を介した電気的接続と、外部電源との接続要素を介した電気的接続とをブロック図のように表現した図である。
【発明を実施するための形態】
【００２５】
（実施の形態）
図１〜図４および図１１は、照明モジュールアセンブリ１５の典型的な一実施形態の様々な図である。照明モジュールアセンブリ１５は、第１のハウジング部品１７と第２のハウジング部品１８とを有するハウジング１６を含む。例によれば、ハウジング１６は２つのハウジング部品１７、１８のみからなる。２つのハウジング部品１７、１８は互いに結合可能、好ましくは取り外し可能に結合可能である。この結合は道具なしで形成することができ、道具なしで、または道具を利用して再び分離することができる。この目的のために、第１のハウジング部品１７はコネクタ１９を有し、第２のハウジング部品１８の対応するコネクタ２０と相互作用して結合を形成する。典型的な一実施形態では、２つのハウジング部品１７、１８間の結合は係止結合によって形成される。
【００２６】
第１のハウジング部品１７は、周方向Ｕでその外縁を周回する周壁２５によって囲まれるハウジング底面２４を有する。周方向Ｕは、照明モジュールアセンブリ１５の光軸Ａを中心とする。周壁２５はリング状であり、かつ周方向Ｕで閉じられるか、または周方向Ｕに間隔を置いた個別の周壁部を有することができる。周壁２５は、ハウジング底面２４とは反対側に開かれ、かつ光軸Ａに対して直角または半径方向に見たときに周壁２５を貫通する２つ以上の壁開口２６を有する。
【００２７】
ハウジング底面２４は開口を有し、照明モジュールアセンブリ１５の照明モジュール２８を保持する位置決め窓２７の役割を果たす。照明モジュール２８は、例えば発光ダイオード（ＬＥＤ）または有機発光ダイオード（ＯＬＥＤ）などの１つまたは複数の半導体ランプを有することができるランプアセンブリ２９を含む。ランプアセンブリ２９は、照明モジュール２８の発光面３０に配置される。発光面３０の反対側に、照明モジュール２８はモジュール底面３１を有する。典型的な一実施形態では、ランプアセンブリ２９はモジュールキャリアプレート３２の上面に配置される。モジュールキャリアプレート３２の低面、上面の反対側であるこの低面は、照明モジュール２８のモジュール底面３１を形成する。
【００２８】
照明モジュールアセンブリ１５は締結コンポーネント３６を含み、そのそれぞれは、例によれば、ねじ３７によって形成される。締結コンポーネント３６は、第１のハウジング部品１７をベース面３８に取り外し可能な方法で固定するように構成される。第１のハウジング部品１７が締結コンポーネント３６によってベース面３８に取り付けられる場合（図１１）、ハウジング底面２４の組み立て面３９はベース面３８に接する。
【００２９】
組み立てられた状態では、照明モジュール２８は第１のハウジング部品１７の位置決め窓２７に挿入される。モジュール底面３１はベース面３８に対して間接的または直接的に接しており、熱伝導性接続を形成している。任意選択で、熱伝導フォイル４０をモジュール底面３１とベース面３８との間に配置して、熱伝達を改善することができる（図１１）。
【００３０】
周壁２５はハウジング底面２４から突出しており、組み立て面３９にはハウジング底面２４を越えて突出しない。ハウジング底面２４から距離をおいて、かつ例によれば周壁２５の上縁に接して周方向Ｕ周囲の複数個所それぞれに、例によれば横方向に、かつ光軸Ａに向かって周壁２５から突出した係止突起４１によって形成されたコネクタ１９がある。例によれば、４つの係止突起４１があり、周方向Ｕに互いに距離を置いて配置される。係止突起４１は、周壁２５の凹部に配置することができ、周壁２５を越えて半径方向にまたは光軸Ａに対して直角に突出しない。
【００３１】
第２のハウジング部品１８は、図４で特によく見ることができる。この第２のハウジング部品１８は、内壁部４５と、内壁部４５から光軸Ａに対して半径方向に距離を置いて配置された外壁部４６と、内壁部４５を外壁部４６と連結する連結壁部４７とを有する。内壁部４５はリング状で、周方向Ｕで閉じられており、第２のハウジング部品１８の光出口開口４８を境界付ける。光出口開口４８は光軸Ａの領域で中央に配置されており、照明モジュール２８から放射された光が光出口開口４８を通ってハウジング１６から放出できるように構成される。光出口開口４８の寸法は、ランプアセンブリ２９の寸法と少なくとも同じ大きさである。例によれば、ランプアセンブリ２９の複数の半導体ランプは、モジュールキャリアプレート３２上の実質的に円形の表面に配置される。光出口開口４８の直径は、ランプアセンブリ２９の直径よりも大きい（図１および図１１）。
【００３２】
内壁部４５は、内縁４９を形成して光出口開口４８を境界付ける。この内縁４９から開始して、内壁部４５は光軸Ａに対して傾斜して半径方向外向きに延在し、内縁４９とは反対側で連結壁部４７に一体化する。典型的な一実施形態では、連結壁部４７は、光軸Ａに対して実質的に半径方向に延在する。したがって、内壁部４５は円錐台の側面に相当する形状を有する。内縁４９から開始して、光軸Ａから内壁４５の距離は増大する。
【００３３】
連結壁部４７は、ベース面３８または第１のハウジング部品１７とは反対側を向く前面５０を有し、この前面５０は、例によれば完全に閉じられている。前面５０の反対側の裏面５１から突出しているのは外壁部４６である。外壁部４６は、周方向Ｕでリング状に内壁部４５を囲み、例によれば実質的に完全に取り囲む。光軸Ａから外壁部４６の距離は、光軸Ａから周壁２５の距離よりも小さく、したがって結合を形成するために、外壁部４６を備える第２のハウジング部品１８は、周壁２５によって境界付けられた第１のハウジング部品１７の内側領域に突出することができる。例によれば、対応するコネクタ２０は、連結壁部４７から距離を置いて配置され、光軸Ａから離れるように半径方向外向きに突出する半径方向突起によって形成される。係止結合が形成されると（図１１参照）、コネクタ１９または係止突起４１が対応するコネクタ２０と連結壁部４７との間の空間に突出し、係止結合を形成する。対応するコネクタ２０の半径方向突起は、係止突起対応部分５２と呼ぶことができる。
【００３４】
連結壁部４７は、２つのハウジング部品１７、１８間で結合が形成されると、周壁２５を覆うかまたは重なる周縁５３を形成する。例によれば、これは、連結壁部４７の外径が外壁部４６の外径および対応するコネクタ２０の外径よりも大きいことによって達成される。連結壁部４７の外径は、周壁２５の外径に実質的に一致する。
【００３５】
典型的な一実施形態では、第１のハウジング部品１７および第２のハウジング部品１８はそれぞれが単独の一体部品で作られ、非導電性材料、特にプラスチックからなる。
【００３６】
照明モジュールアセンブリ１５は、１つまたは複数の電気コンポーネントまたは電子コンポーネント６１を有する動作回路６０を含む。少なくとも１つのコンポーネント６１がプリント回路基板６３のコンポーネント面６２に配置される。例によれば、コンポーネント面６２とは反対側のプリント回路基板底面６４はコンポーネント６１を含まない。
【００３７】
プリント回路基板６３は、例えば摩擦によって、および／または形状嵌合式で、および／または例えば接着接合などの接着促進剤による接合によって、第２のハウジング部品１８と接合される。例えば、プリント回路基板底面６４は、接着促進剤による接合によって連結壁部４７の裏面５１と接合することができる。典型的な一実施形態では、プリント回路基板６３は、リングと同様の閉じた形状を有する。プリント回路基板６３は、内壁部４５と、外壁部４６と、連結壁部４７とによって境界付けられた設置スペース６５に配置される。プリント回路基板６３もコンポーネント６１の１つも設置スペース６５から突出しない。特に、コンポーネント６１は光軸Ａに対して直角に方向づけられ、かつ内壁部４５の内縁４９および／または連結壁部４７とは反対側の外壁部４６の縁部に接する平面Ｅを通過してコンポーネント面６２から突出しない（図１１）。
【００３８】
内壁部４５は円錐状であるため、設置スペース６５の半径方向寸法は、連結壁部４７から開始して第１のハウジング部品１７に向かう方向で増大する。少なくとも１つのコンポーネント６１は、コンポーネント面６２および連結壁部４７から離れるように設置スペース６５へ延在することができる。これにより、動作回路６０の特に省スペースの配置が可能になる。
【００３９】
プリント回路基板６３のコンポーネント面６２は、その上に複数の導電性プリント回路基板接点面７０を有する。これらのプリント回路基板接点面７０の少なくとも１つまたは２つは、動作回路６０の入力接続（単数または複数）の役割を果たし、第１のプリント回路基板接点面７０ａと呼ばれる。プリント回路基板接点面７０の少なくとも１つまたは２つは、動作回路６０の出力接続（単数または複数）の役割を果たし、第２のプリント回路基板接点面７０ｂと呼ばれる。第１および第２のプリント回路基板接点面７０ａ、７０ｂを動作回路６０の斜視図（図１２および図１３）、および図１４のブロック図様の表現中に示す。
【００４０】
照明モジュール２８は、その発光面３０に配置された少なくとも２つの導電性モジュール接点面７１を有し、これらの導電性モジュール接点面７１はランプアセンブリ２９に隣接している。第２のプリント回路基板接点面７０ｂのそれぞれは、各電気的接続について１つの導電性接点要素７２によって、各モジュール接点面７１と電気的に接続される。接点要素７２の典型的な一実施形態を図９および図１０に示す。接点要素７２は、プリント回路基板６３と関連する第１の接点部７３を有する。第１の接点部７３のそれぞれは、１つの第２のプリント回路基板接点面７０ｂと電気的に接続される。典型的な一実施形態では、この接続ははんだ付け接合によって形成することができる。これは同時に、接点要素７２とプリント回路基板６３との間で形成される機械的接続を可能にする。例によれば、接点要素７２はプリント回路基板６３上に機械的に保持される。はんだ付け接合に加えて、またはその代わりとして、この機械的接続はプラグアンドソケット結合または係止結合によって達成することもできる。
【００４１】
接点要素７２は、第１の接点部７３から突出し、かつ端部に第２の接点部７５を有する接点ばね７４を有する。接点ばね７４は、プリント回路基板６３から離れるように傾斜した角度で傾く。接点部７３、７５への移行時に、接点要素７２は傾斜するか、または屈曲する。これにより、接点要素７２が弾性を有するようになり、第２の接点部７５は、接点ばね７４の一定のばね作用下で枢動でき、第２の接点部７５からプリント回路基板６３までの距離が変化するように取り付けられる。組み立てられた状態で接続が形成されると、第２の接点部７５は照明モジュール２８の関連するモジュール接点面７１に接し、接点ばね７４はモジュール接点面７１に対して第２の接点部７５の一定の接触圧力を提供することができる。これにより良好な電気的接続が達成され、また照明モジュール２８がベース面３８に対して押圧される。
【００４２】
したがって、照明モジュール２８が位置決め窓２７に挿入されたときに第２のハウジング部品１８と第１のハウジング部品１７との間で結合を形成することにより、照明モジュール２８と動作回路６０との間で電気的接続を形成することができる。電気的接続は、図１４のブロック図によって概略的に示される。
【００４３】
また、外部電源デバイス８０と電気的接続を形成する機能を有する動作回路６０を提供することも必要である。電源デバイス８０は、動作回路６０に電力を供給する。動作回路６０は、ランプアセンブリ２９を動作させるために供給される電力を開ループ制御下および／または閉ループ制御下に置き、かつ／もしくはそれを制限することができる。例えば、動作回路６０は、入力側の電源デバイス８０によって供給された電力を使用して、出力側の第２のプリント回路基板接点面７０ｂに出力直流電流を供給することができ、その電流強度を開ループ制御下および／または閉ループ制御下に置き、かつ／もしくは制限することができる。
【００４４】
出力側では、動作回路６０は、少なくとも１つ、好ましくは２つまたは２つ以上の第２のプリント回路基板接点面７０ｂを有することができ、そのそれぞれは照明モジュールアセンブリ１５が組み立てられると、照明モジュール２８のモジュール接点面７１と電気的に接続される。したがって、例えば、電気的接続のための電力供給に加えて、他の信号線が照明モジュールと動作回路との間で温度測定などの制御情報またはステータス情報を転送することは可能である。別の典型的な一実施形態では、照明モジュールアセンブリ１５の照明モジュール２８は複数の個別に制御可能なチャネルを有することもでき、例えば３つまたは４つのモジュール接点面７１を備えるデュアルチャネル照明モジュール２８の形態（例えば、いわゆる「調整可能な白色」）にすることができる。したがって、プリント回路基板６３は、各モジュール接点面７１に、３つ、４つ、またはそれ以上の第２のプリント回路基板接点面７０ｂを１つずつ有する。電力を供給し、動作回路６０を制御するために、プリント回路基板６３は２つ以上の第１のプリント回路基板接点面７０ａを有して、例えば照明モジュール２８の複数のチャネルについて別々の信号および／または制御情報および／またはステータス情報を受信することができるようにすることもできる。
【００４５】
電源デバイス８０との電気的接続のために、プリント回路基板６３は、上述のように、第１のプリント回路基板接点面７０ａを有する。第２のハウジング部品１８は、光軸Ａに対して直角または半径方向に外壁部４６を貫通する、少なくとも２つ、例によれば４つの接続ソケット８１を有する。２つのハウジング部品１７、１８が結合されたとき、各接続ソケット８１の外側開口は周壁２５の壁開口２６の領域に配置されており、したがって外側からアクセス可能である。各接続ソケット８１の反対側の内側開口は、外壁部４６と内壁部４５との間の領域に開口し、この内側開口に続いて保持領域８２があり、これらの保持領域８２のそれぞれが１つの導電性接続要素８３を有している。保持領域８２は、いわば、挿入方向（Ｓ）（図１）で接続ソケット８１の後方に配置される。保持領域８２は、それぞれに１つの接続要素８３を配置できるように設計され構成される。特に、保持領域８２を境界付ける内壁部４５および／または外壁部４６は、いずれの場合も、１つの接続要素８３が第２のハウジング部品１８に摩擦によって、および／または形状嵌合式で、好ましくは取り外し可能に、固定することができるように設計される。
【００４６】
プリント回路基板６３は、設置スペース６５内にも保持領域８２内にも延在する。保持領域８２は、その中に配置された動作回路６０のコンポーネント６１を必ずしも有する必要はない。例によれば、保持領域８２は、接続要素８３を配置するためにあけておかれる。
【００４７】
プリント回路基板６３は、提示された少なくとも１つまたは２つの保持領域８２の領域内に第１のプリント回路基板接点面７０ａを有する。関連する保持領域８２は、その中に配置された接続要素８３を有して、関連する第１のプリント回路基板接点面７０ａと電気的接続を形成することができる。
【００４８】
接続要素８３の典型的な実施形態を図６、図７、および図８に示す。
【００４９】
図６および図７は、接続要素８３の第１の典型的な実施形態を示す。接続要素８３は、板状の第１の脚部８４と板状の第２の脚部８５とを有し、これら２つの脚部は湾曲した連結部８６を介して互いに連結され、互いに間隔をあけて配置されている。連結部８６とは反対側で、第２の脚部８５は、第２の脚部８５に対して曲げられてクランプ部分８７を形成する端部を有する。クランプ部分８７は、第１の脚部８４から離れる角度で延在する。
【００５０】
第１の脚部８４は、連結部８６とは反対側の端部に、第１の脚部８４に対して実質的に直角に方向づけられた横方向タブ８８を有する。この横方向タブ８８には、第１の脚部８４とは反対側で横方向タブ８８に対して曲げられ、第１の脚部８４に対してほぼ平行に延在する末端８９が続く。クランプ部分８７は、第１の脚部８４と末端８９との間の領域に配置され、横方向タブ８８に接するか、または横方向タブ８８から距離を置いて配置される。２つの脚部８４、８５は、連結部８６を介して互いに離れるように弾性的に曲げることが可能であり、クランプ部分８７は弾性的に枢動可能な方法で取り付けられる。弾性的に取り付けられたクランプ部分８７は、横方向タブ８８と共にクランプアセンブリ９０を形成する。
【００５１】
接続要素８３は、接続要素８３が保持領域８２内に挿入された場合、第１のプリント回路基板接点面７０ａに接するように構成された接点部分９１も有する。例によれば、接点部分９１は横方向タブ８８と連結され、かつ接続要素８３の下側領域で横方向タブ８８および脚部８４、８５に対してほぼ直角に突出する。あるいは、接点部分９１は、例えば第１の脚部８４に配置されてもよい。
【００５２】
図６および図７による典型的な一実施形態では、接点部分９１は、クランプ部分８７とは反対側の横方向タブ８８の側に突出する。あるいは、接点部分９１は、第１の脚部８４と末端８９との間に配置されてクランプ部分の下に延びるように横方向タブ８８から突出することも可能である（図８）。これにより、プリント回路基板６３上の省スペース配置を実現することができる。他の点では、図８による接続要素８３は、図６および図７に関連して説明された実施形態と一致する。
【００５３】
特に図６に見られるように、接続要素８３は、第１の脚部８４を貫通する挿入口９２を有する。挿入口９２は、図７に概略的に示されるように、導電性導体９３が第１の脚部８４を通ってクランプ部分８７と横方向タブ８８との間に導入されることを可能にする。これが起こると、第２の脚部８５は連結部８６の周囲で変形してクランプ部分８７と横方向タブ８８との間にクランプ力を発生させ、このクランプ力が導体９３を押圧し、クランプ部分８７と横方向タブ８８との間で導体９３をクランプする。これにより、導体９３と接続要素８３との間に、接点部分９１を介して第１のプリント回路基板接点面７０ａとの導電性接続が形成される。
【００５４】
図７に示すように、導体９３は、クランプアセンブリ９０の外側のジャケット９４で電気的に絶縁することができる。例えば、ケーブルの端部で露出した導体９３を接続ソケット８１から挿入し、上述のように接続要素８３と電気的接続を形成することができる。このために電気的に適した特別な電気プラグやソケットは不要であり、提供されない。
【００５５】
図５は、接続要素兼接点要素９８の典型的な一実施形態を示す。接続要素兼接点要素９８は、接続要素８３に相当する第１の部分９９と、接点要素７２に相当する第２の部分１００とを有する。接続要素８３の接点部分９１は、接点要素７２の第１の接点部７３と連結され、特に一体に結合されて、接続要素兼接点要素９８を形成している。この接続要素兼接点要素９８は保持領域８２に挿入することができ、挿入されると第１のプリント回路基板接点面７０ａと第２のプリント回路基板接点面７０ｂとの両方に接触する。これにより、動作回路６０と照明モジュール２８との両方を同一の導体９３で電気的に接続することができる。これにより、例えば、動作回路６０と照明モジュール２８との両方に、例えば負電位または接地電位などの基準電位を与えることができる。動作回路６０と照明モジュール２８との両方で必要とされ得る、または使用され得る他の信号または電位は、接続要素兼接点要素９８によって動作回路６０と照明モジュール２８との両方に供給することもできる。
【００５６】
図１２および図１３は動作回路６０を示しており、それぞれがプリント回路基板６３と、第１のプリント回路基板接点面７０ａおよび第２のプリント回路基板接点面７０ｂとを有する。図１２によれば、接続要素兼接点要素９８は、動作回路６０および照明モジュール２８の両方に供給電位を提供するために使用される。接続要素８３は、動作回路６０に第２の供給電位を提供する役割を果たす。さらに、動作回路６０の出力側信号を照明モジュール２８に伝達するために、複数（例によれば３つ）の接点要素７２が使用される。
【００５７】
図１３に示す典型的な一実施形態では、図１２の典型的な一実施形態の接続要素兼接点要素９８が接続要素８３に置き換えられている。例によれば、２つの接点要素７２が使用されて、動作回路６０の出力側信号を照明モジュール２８に伝達する。
【００５８】
図１２および図１３による典型的な実施形態は一例に過ぎない。少なくとも１つの接点要素７２および／または少なくとも１つの接続要素８３および／または少なくとも１つの接続要素兼接点要素９８は、照明モジュールアセンブリ１５と接続される導体９３が、動作回路６０とのみ（図８による典型的な一実施形態）、照明モジュール２８とのみ（図６および図７による典型的な一実施形態、あるいは図５による代替的かつ典型的な一実施形態、あるいは図８および図９または図１０による典型的な実施形態の代替的な組み合わせ）、または動作回路６０と照明モジュール２８との両方（図５による典型的な一実施形態）と接続すべきかどうかに応じて、任意の組み合わせで配置することができる。変形例はすべて実施可能である。さらに、接点要素７２を介して、動作回路６０の出力接続と照明モジュール２８との間に接続を形成することができる。出力信号を他の照明モジュールアセンブリの他の照明モジュールに使用すべき場合、ここでは例えば接続要素兼接点要素９８を使用して、この照明モジュールアセンブリ１５の照明モジュール２８だけでなく、対応する導体９３を介して他の外部照明モジュールにも動作回路６０の出力信号を転送することがさらに可能である。
【００５９】
設置場所でのベース面３８への照明モジュールアセンブリ１５の組み立ては極めて単純である。まず、第１のハウジング部品１７を締結コンポーネント３６またはねじ３７でベース面３８に固定する。その結果、照明モジュール２８を位置決め窓２７に挿入することができる。コンポーネント６１を有するプリント回路基板６３は、第２のハウジング部品１８とユニットを形成する。いくつの外部導体９３を接続すべきかに応じて、対応する多数の接続要素８３が、接続ソケット８１に隣接する１つの保持領域８２内にそれぞれ配置または挿入される。次いで、動作回路６０および接続要素８３を有する第２のハウジング部品１８が、例によれば係止結合によって第１のハウジング部品１７に結合される。これにより、接点要素７２によって動作回路６０と照明モジュール２８との間で電気的接続が形成される。最後に、２つ以上の導体９３を対応する接続ソケット８１から挿入することができる。導体９３の挿入は、２つのハウジング部品１７、１８が結合される前の時点でも可能である。
【００６０】
上述の照明モジュールアセンブリ１５は、第２のハウジング部品１８での動作回路６０の省スペース配置を可能にする。動作回路６０が第２のハウジング部品１８と一体として扱われるという事実、および２つのハウジング部品１７、１８の機械的接続が動作回路６０と照明モジュール２８との間の電気的接続と同時に形成されるという事実が、設置場所での照明モジュールアセンブリ１５の極めて単純な組み立てを可能にする。提示された保持領域８２内に接続要素８３を配置する選択肢、または動作回路６０またはプリント回路基板６３上に接点要素７２を配置する選択肢は、照明モジュールアセンブリ１５を各適用事例に適合させることを容易にする。
【００６１】
本開示は、互いに機械的に接続可能な第１のハウジング部品１７と第２のハウジング部品１８とを含む照明モジュールアセンブリ１５に関する。第１のハウジング部品１７は位置決め窓２７を有して、少なくとも１つの半導体ランプで作られたランプアセンブリ２９を備える照明モジュール２８を保持する。第２のハウジング部品１８は、内壁部４５によって境界付けられる光出口開口４８を有する。内壁部４５は、外壁部４６によって周方向Ｕで囲まれる。２つの壁部４５、４６は、連結壁部４７を介して互いに連結される。３つの壁部４５、４６、４７は、プリント回路基板６３と少なくとも１つの電気コンポーネントおよび／または電子コンポーネント６１とを有する動作回路６０用の設置スペース６５を形成する。少なくとも１つのコンポーネント６１は、プリント回路基板６３のコンポーネント面６２に配置される。プリント回路基板６３は、コンポーネント面６２の反対側であるプリント回路基板底面６４で、内壁部４５と外壁部４６との間である連結壁部４７に面して配置され、ハウジング部品１７、１８の間に結合が形成されるとコンポーネント面６２は第１のハウジング部品１７に面する。動作回路６０および第２のハウジング部品１８は、それらが一体として扱われて第１のハウジング部品１７と結合されることを可能にするユニットを形成する。
【００６２】
以上、１つまたは複数の実施形態および／または他の例を説明したが、その中で様々な変形が可能であり、本明細書に開示された主題が様々な形態および例で実施可能であり、かつこれらは多数の用途に適用可能であり、そのうちのいくつかのみが本明細書に記載してあることを理解されたい。添付の特許請求の範囲によって、本教示の実際の範囲内に含まれるあらゆる修正および変形を請求することが意図される。
【図１】
2019133924.tif 000003
【図２】
2019133924.tif 000004
【図３】
2019133924.tif 000005
【図４】
2019133924.tif 000006
【図５】
2019133924.tif 000007
【図６】
2019133924.tif 000008
【図７】
2019133924.tif 000009
【図８】
2019133924.tif 000010
【図９】
2019133924.tif 000011
【図１０】
2019133924.tif 000012
【図１１】
2019133924.tif 000013
【図１２】
2019133924.tif 000014
【図１３】
2019133924.tif 000015
【図１４】
2019133924.tif 000016
【外国語明細書】
2019133924.tif 000017
2019133924.tif 000018
2019133924.tif 000019
2019133924.tif 000020
2019133924.tif 000021
2019133924.tif 000022
2019133924.tif 000023
2019133924.tif 000024
2019133924.tif 000025
2019133924.tif 000026
2019133924.tif 000027
2019133924.tif 000028
2019133924.tif 000029
2019133924.tif 000030
2019133924.tif 000031
2019133924.tif 000032
2019133924.tif 000033
2019133924.tif 000034
2019133924.tif 000035
2019133924.tif 000036
2019133924.tif 000037
【図１】
2019133924.tif 000038
【図２】
2019133924.tif 000039
【図３】
2019133924.tif 000040
【図４】
2019133924.tif 000041
【図５】
2019133924.tif 000042
【図６】
2019133924.tif 000043
【図７】
2019133924.tif 000044
【図８】
2019133924.tif 000045
【図９】
2019133924.tif 000046
【図１０】
2019133924.tif 000047
【図１１】
2019133924.tif 000048
【図１２】
2019133924.tif 000049
【図１３】
2019133924.tif 000050
【図１４】
2019133924.tif 000051